(57)【要約】【課題】殺虫剤を用いなくても蚊が発生しにくく、泥が溜まっても蚊の発生を抑制する機能が低下しにくく、さらに、溜まった泥を外部に排出する作業が容易な雨水ますを提供する。【解決手段】雨水ますに着脱自在に装着されるバケット２０である。バケット２０は、上側に開口２２ａが形成された略有底円筒状のバケット本体２２と、開口２２ａを跨ぐようにバケット本体２２に取り付けられた持ち手２１と、銅製の防蚊部材１とを備えている。防蚊部材１は、バケット本体２２の開口２２ａの縁部２２ｂに引っ掛けられる係止部２と、係止部２からバケット本体２２の内側に延びる本体部３とを有している。防蚊部材１は、係止部２が縁部２２ｂに引っ掛けられることによって、バケット本体２２に着脱自在に取り付けられている。【選択図】図２
2011208427.tif 000002
【特許請求の範囲】
【請求項１】
雨水ますに着脱自在に装着されるバケットであって、
上側に開口が形成された略有底円筒状のバケット本体と、
前記開口を跨ぐように前記バケット本体に取り付けられた持ち手と、
前記バケット本体の前記開口の縁部に引っ掛けられる係止部と、前記係止部から前記バケット本体の内側に延びる本体部とを有し、少なくとも前記本体部が銅を含み、前記係止部が前記開口の縁部に引っ掛けられることによって前記バケット本体に着脱自在に取り付けられた防蚊部材と、を備えている雨水ます用のバケット。
【請求項２】
前記本体部の下端は前記バケット本体の底面から上方に離れている、請求項１に記載の雨水ます用のバケット。
【請求項３】
前記本体部は、前記バケット本体の内周面に沿った筒状に形成されている、請求項１または２に記載の雨水ます用のバケット。
【請求項４】
請求項１〜３のいずれか一つに記載の雨水ます用のバケットと、
前記バケットが着脱自在に装着される略有底円筒状のます本体と、
前記ます本体に形成され、雨水を流入させる流入管が接続される流入側接続口と、
前記ます本体に形成され、雨水を流出させる流出管が接続される流出側接続口と、
を備えた雨水ます。
【発明の詳細な説明】
【技術分野】
【０００１】
本発明は、雨水ます用のバケットおよびこのバケットを備えた雨水ますに関する。
【背景技術】
【０００２】
通常、雨水を排出するための管路の途中には、雨水ますが設けられている。雨水に混じった泥が下流側に流出してしまうことを抑制するため、雨水ますの底部は、雨水ますに接続された流入管および流出管よりも低い位置に配置されている。そのため、雨水ますの底部には常に雨水が滞留する。ところが、常に雨水が滞留することにより、雨水ますが蚊の幼虫すなわちボウフラの格好の生息場所となってしまうという課題がある。
【０００３】
従来より、蚊の発生防止のために、殺虫剤を散布することが行われている。しかし、殺虫剤の散布は環境汚染の観点から好ましくない。そこで、下記特許文献１に記載されているように、銅の抗菌作用を利用して雨水ますにおける蚊の発生を防止する技術が提案されている。特許文献１に記載された雨水ますでは、銅部材を取り付けるためのガイド等を雨水ますの内部側壁に設け、銅部材を雨水ますの内部側壁に取り付けることとしている。また、特に、銅部材が雨水に常に触れるように、銅部材を雨水ますの底面上に設けることとしている。
【先行技術文献】
【特許文献】
【０００４】
【特許文献１】特開２０００−１５４５８９号公報
【発明の概要】
【発明が解決しようとする課題】
【０００５】
しかし、上記特許文献１に記載された雨水ますでは、以下のような課題があった。すなわち、上記雨水ますでは、底部に泥が溜まってくると、銅部材が泥の中に埋まり、本来の抗菌作用を発揮できないという課題があった。一方、底部に溜まった泥を除去しようとすると、銅部材を傷つけないように雨水ますの内部側壁からいったん取り外し、そのうえで底部に溜まった泥を外部に掻き出さなければならない。そのため、溜まった泥を外部に排出する作業が面倒であった。
【０００６】
本発明はかかる点に鑑みてなされたものであり、その目的とするところは、殺虫剤を用いなくても蚊が発生しにくい雨水ますであって、泥が溜まっても蚊の発生を抑制する機能が低下しにくく、また、溜まった泥を外部に排出する作業が容易な雨水ますを提供することにある。
【課題を解決するための手段】
【０００７】
本発明に係る雨水ます用のバケットは、雨水ますに着脱自在に装着されるバケットであって、上側に開口が形成された略有底円筒状のバケット本体と、前記開口を跨ぐように前記バケット本体に取り付けられた持ち手と、前記バケット本体の前記開口の縁部に引っ掛けられる係止部と、前記係止部から前記バケット本体の内側に延びる本体部とを有し、少なくとも前記本体部が銅を含み、前記係止部が前記開口の縁部に引っ掛けられることによって前記バケット本体に着脱自在に取り付けられた防蚊部材と、を備えているものである。
【０００８】
上記バケットによれば、防蚊部材の本体部が銅を含んでいるので、バケットに雨水が溜まることによって上記本体部が雨水に触れ、銅の抗菌作用によりボウフラの発生が抑制される。したがって、殺虫剤を用いなくても、蚊の発生を抑制することができる。また、上記本体部は、バケット本体の開口の縁部に引っ掛けられる係止部から、バケット本体の内側に延びるように構成されている。そのため、本体部の少なくとも一部はバケット本体の開口付近に位置することになる。したがって、バケットの底部に泥が溜まっても、蚊の発生を抑制することができる。また、上記バケットは、作業者が持ち手を掴んで上げ下げすることにより、雨水ますに着脱自在である。そのため、泥が溜まった場合には、バケット本体から防蚊部材を取り外さなくても、バケットの全体を雨水ますから取り外すことにより、溜まった泥を外部に排出することができる。したがって、溜まった泥を外部に排出する作業が容易である。
【０００９】
前記本体部の下端は前記バケット本体の底面から上方に離れていてもよい。
【００１０】
このことにより、バケットの底部に泥が溜まった場合でも、本体部は泥の中に隠れにくくなる。そのため、バケットの底部に泥が溜まった場合に、本体部が防蚊作用を十分に発揮できなくなることを防止することができる。
【００１１】
前記本体部は、前記バケット本体の内周面に沿った筒状に形成されていてもよい。
【００１２】
このことにより、本体部の表面積を大きく確保することができ、防蚊作用を高めることができる
【００１３】
本発明に係る雨水ますは、前記バケットと、前記バケットが着脱自在に装着される略有底円筒状のます本体と、前記ます本体に形成され、雨水を流入させる流入管が接続される流入側接続口と、前記ます本体に形成され、雨水を流出させる流出管が接続される流出側接続口と、を備えたものである。
【００１４】
このことにより、殺虫剤を用いなくても蚊の発生を抑制することができ、泥が溜まっても蚊の発生を抑制する機能が低下しにくく、また、溜まった泥を外部に排出する作業が容易な雨水ますを得ることができる。
【発明の効果】
【００１５】
以上のように、本発明によれば、殺虫剤を用いなくても蚊の発生を抑制することができ、泥が溜まっても蚊の発生を抑制する機能が低下しにくく、また、溜まった泥を外部に排出する作業が容易な雨水ますを提供することができる。
【図面の簡単な説明】
【００１６】
【図１】本発明の実施形態に係る雨水ます用のバケットの斜視図である。
【図２】本発明の実施形態に係る雨水ます用のバケットの分解斜視図である。
【図３】バケットを雨水ますに装着する際の動作を説明する斜視図である。
【図４】雨水ますの断面図である。
【図５】他の実施形態に係る防蚊部材の斜視図である。
【図６】他の実施形態に係る防蚊部材の斜視図である。
【図７】他の実施形態に係る防蚊部材の斜視図である。
【発明を実施するための形態】
【００１７】
図１に示すように、本実施形態に係る雨水ます用のバケット２０は、略有底円筒状の樹脂製のバケット本体２２と、ステンレス製の持ち手２１と、防蚊部材１とを備えている。バケット本体２２の上側には開口２２ａが形成され、持ち手２１は開口２２ａを跨ぐように配置されている。
【００１８】
図２に示すように、バケット本体２２は、開口２２ａの周囲を取り囲む縁部２２ｂを有している。防蚊部材１は、縁部２２ｂに引っ掛けられる係止部２と、係止部２からバケット本体２２の内側に延びる本体部３とを有している。なお、図２では、防蚊部材１の断面形状が分かりやすいように、便宜上、防蚊部材１の一部を破断した状態で示している。係止部２の具体的形状は特に限定されないが、本実施形態では係止部２は、断面がコ字状に形成されている。また、係止部２には、持ち手２１を挿通させるための孔４が形成されている。本体部３の形状も何ら限定されないが、本実施形態では本体部３は、係止部２の下端から下方に延びるように形成されている。本体部３の下端３ａ（図４参照）は、バケット本体２２の底面２２ｃから上方に離れている。本実施形態では、本体部３の下端３ａは、バケット本体２２の上下方向の中間位置よりも上方に位置している。係止部２は略環状に形成されている。本体部３は、バケット本体２２の開口２２ａ付近の内周面に沿った筒状に形成されている。しかし、係止部２および本体部３の形状は上記形状に限定されず、係止部２または本体部３は、例えば周方向の一部が切り欠かれたものであってもよい。
【００１９】
本実施形態では、係止部２と本体部３とは、銅により一体的に形成されている。ただし、本体部３が銅を含んでいれば足り、係止部２は銅を含んでいなくてもよい。また、係止部２と本体部３とは別体であってもよい。なお、本体部３の材料は銅自体に限らず、銅を含んだ合金等であってもよい。本体部３は、銅を８０重量パーセント以上含む材料によって形成されていることが好ましい。
【００２０】
図２に示すように、防蚊部材１は、係止部２がバケット本体２２の縁部２２ｂに引っ掛けられることによって、バケット本体２２に着脱自在に取り付けられる。防蚊部材１はバケット本体２２に取り付けられているので、図３に示すように、バケット２０をます本体３１に装着することによって、防蚊部材１はます本体３１内の所定の位置に自動的に配置されることになる。
【００２１】
図４は雨水ます３０の断面図である。雨水ます３０は、略有底円筒状のます本体３１を備えている。ます本体３１の上部には、点検筒３４が接続されている。点検筒３４の上部には、蓋３５が嵌め込まれている。ます本体３１の側壁には、流入側接続口としての受口３２と、流出側接続口としての受口３３が設けられている。ただし、流入側接続口または流出側接続口は差口であってもよい。受口３２には流入管４１が接続され、受口３３には流出管４２が接続されている。バケット２０は、ます本体３１の底部に装着されている。防蚊部材１の上端は、流入管４１および流出管４２の底部と略同一の高さに位置している。ただし、防蚊部材１の上端の位置は、上記位置に限定される訳ではない。
【００２２】
本実施形態に係る雨水ます３０によれば、バケット２０に雨水が溜まった場合には、銅製の防蚊部材１が雨水に触れることになる。そのため、銅の抗菌作用により、ボウフラの発生が抑制される。したがって、殺虫剤を用いなくても、雨水ます３０における蚊の発生を抑制することができる。
【００２３】
また、本実施形態に係る雨水ます３０によれば、防蚊部材１はバケット本体２２の開口２２ａの付近に配置されている。そのため、バケット本体２２に泥が堆積した場合であっても、防蚊部材１の全体が泥の中に埋まってしまうことはない。特に本実施形態によれば、防蚊部材１の下端３ａはバケット本体２２の底面２２ｃから上方に離れている（図４参照）。そのため、バケット本体２２に泥が堆積した場合であっても、防蚊部材１のほぼ全体が泥よりも上方に位置することになる。したがって、防蚊部材１の本来の防蚊作用を十分に維持することができる。
【００２４】
また、本実施形態に係る雨水ます３０によれば、雨水ます３０に泥が溜まった場合、防蚊部材１をバケット本体２２に取り付けた状態のまま、バケット２０をます本体３１から取り外すだけの簡単な作業により、その泥を外部に排出することができる。したがって、溜まった泥を外部に排出する作業は容易である。なお、防蚊部材１はバケット本体２２に対し着脱自在であるので、バケット２０をます本体３１から取り外した後、バケット本体２２内の泥を排出する際に、防蚊部材１をバケット本体２２から適宜取り外すようにしてもよい。
【００２５】
また、本実施形態によれば、防蚊部材１はバケット本体２２の開口２２ａ付近にのみ設けられているので、バケット本体２２の内周面の全体に銅部材を配置する場合に比べて、銅の使用量を低減させることができる。したがって、大幅なコストアップを招くことなく、蚊の発生を抑制することができる。
【００２６】
また、本実施形態によれば、防蚊部材１の本体部３は、バケット本体２２の内周面に沿った筒状に形成されている。そのため、本体部３の上下方向の長さを長くしなくても、表面積を十分に確保することができ、十分な防蚊作用を発揮することができる。
【００２７】
前記実施形態では、防蚊部材１は板状体によって構成されていた。しかし、図５に示すように、防蚊部材１は、網状体によって構成されていてもよい。例えば、防蚊部材１は、銅製のメッシュ等によって構成されていてもよい。これにより、銅（すなわち本体部３）の単位体積当たりの表面積を増やすことができる一方、銅の使用量を減らすことができ、防蚊作用の向上またはコストの低減を図ることができる。
【００２８】
また、図６に示すように、前記実施形態の防蚊部材１において、本体部３の内周面にエンボス加工を施してもよい。これにより、銅の表面積を増やすことができ、防蚊作用の向上を図ることができる。
【００２９】
また、図７に示すように、本体部３の一部を上方に延長し、本体部３の上端が係止部２よりも上方に位置するようにしてもよい。この実施形態によれば、防蚊部材１の一部がバケット本体２２の開口２２ａよりも上方に位置することになる。そのため、万が一、雨水ます３０内において、バケット本体２２が泥で満杯になった場合であっても、防蚊部材１の上記一部は泥の中に埋まらず、雨水に触れることになる。したがって、そのような場合であっても、蚊の発生を抑制することができる。
【００３０】
前述の通り、防蚊部材１は、バケット本体２２に対して着脱自在である。そのため、防蚊部材１をバケット本体２２から取り外すことにより、容易に清掃することができる。すなわち、防蚊部材１はメンテナンスが容易である。また、防蚊部材１を適宜交換するようにしてもよい。すなわち、古い防蚊部材１を廃棄し、代わりに新品の防蚊部材１を取り付けるようにしてもよい。
【符号の説明】
【００３１】
１      防蚊部材
２      係止部
３      本体部
２０    バケット
２１    持ち手
２２    バケット本体
２２ａ  開口
２２ｂ  縁部
３０    雨水ます
３１    ます本体
３２    受口（流入側接続口）
３３    受口（流出側接続口）
４１    流入管
４２    流出管
【図１】
2011208427.tif 000003
【図２】
2011208427.tif 000004
【図３】
2011208427.tif 000005
【図４】
2011208427.tif 000006
【図５】
2011208427.tif 000007
【図６】
2011208427.tif 000008
【図７】
2011208427.tif 000009